(57)【要約】      （修正有）【課題】偽造を企てている者には偽造防止策が施されてることが分からず、真似し難く、一方、下げ札製造者は小ロットの場合にも簡単に適用でき、ブランド品の偽造防止も簡単に適用できる偽造防止下げ札を提供する。【解決手段】切り離し用ミシン目３の近傍に、１つの切れ部分４の長さＬ１が０．１〜０．３ｍｍの範囲内にあり、切れ部分の間に形成されるつなぎ部分４ｂの長さＬ２が０．８〜１．５ｍｍの範囲内にあり、隠し目印の切れ部分が下げ札の表側から裏側に向けて形成されて裏側から０．１〜０．２ｍｍの範囲内の厚さＴ１を残している文字または図形で形成されたマイクロミシン目状点線で隠し目印を付ける。【選択図】図１
0003141834.tif 000002
【実用新案登録請求の範囲】
【請求項１】
隠し目印を付けた偽造防止下げ札において、１つの切れ部分の長さが０．１〜０．３ｍｍの範囲内にあり、該切れ部分の間に形成されるつなぎ部分の長さが０．８〜１．５ｍｍの範囲内にあるマイクロミシン目状点線で前記隠し目印を付けたことを特徴とする偽造防止下げ札。
【請求項２】
隠し目印を付けた偽造防止下げ札において、１つの切れ部分の長さが０．１〜０．３ｍｍの範囲内にあり、該切れ部分の間に形成されるつなぎ部分の長さが０．８〜１．５ｍｍの範囲内にあるマイクロミシン目状点線で前記隠し目印を付けており、該隠し目印の切れ部分が前記下げ札の表側から裏側に向けて形成されて裏側から０．１〜０．２ｍｍの範囲内の厚さを残していることを特徴とする偽造防止下げ札。
【請求項３】
前記下げ札に切り離し用ミシン目が設けられ、該切り離し用ミシン目の近傍に前記隠し目印が形成されていることを特徴とする請求項１または２に記載の偽造防止下げ札。
【請求項４】
前記隠し目印が、文字または図形で形成されていることを特徴とする請求項１〜３の何れか１項に記載の偽造防止下げ札。
【考案の詳細な説明】
【技術分野】
【０００１】
本考案は、偽造防止下げ札に関する。より詳しくは、本考案は、肉眼などによる簡単な検出方法により、または透光器などの簡単な検出機器を用いることにより、下げ札（タグ）が付された物品の真贋を簡単且つ迅速に判別可能とする偽造防止下げ札に関する。
【背景技術】
【０００２】
従来、お金（貨幣）や小切手、手形証券、株券などの有価証券の偽造防止方法として、券面に透かし模様を設けることが行われている。
【０００３】
特許文献１（特許第２７９２８１７号公報）には、切り離し用ミシン目が設けられた入場券の券内に糸を入れて入場券の偽造を防止することが開示されている。
【０００４】
また、特許文献２（特開平１１−３６１９０号公報）および特許文献３（特許第３８０１７３９号公報）には、第１シート（紙）と第２シート（紙）との間にスレッドを挟み込み接着剤により貼合わせるとともに第１シートに窓を設けてスレッドが見えるようにして、有価証券などの偽造を防止することが開示されている。
【特許文献１】特許第２７９２８１７号公報
【特許文献２】特開平１１−３６１９０号公報
【特許文献３】特許第３８０１７３９号公報
【考案の開示】
【考案が解決しようとする課題】
【０００５】
券面に透かし模様を設けるには、貨幣や有価証券を印刷する紙の製造時（抄紙時）に透かし模様を入れるが、この方法は貨幣や有価証券が小ロットの場合には作業が面倒で、高価となり不適当であるという欠点がある。
【０００６】
前述した特許文献１に開示されたように、貨幣や有価証券の券内に糸を入れる場合には、その貨幣や有価証券が本物が否か（偽造されたものか否か）の確認は、その貨幣や有価証券を破壊する（千切る）ことが必須であるであるという欠点がある。
【０００７】
また、特許文献２または特許文献３に開示された偽造防止用紙では、穴からテープが見えるので偽造防止用紙を破壊しなくとも（破らなくとも）その真贋が分かるが、偽造防止用紙の製造時にテープを入れるので、小ロットの場合には作業が面倒で、高価となり不適当である
特に、下げ札の場合には、下げ札を付けた商品を販売し、下げ札を切り離し線から切り離すまで、下げ札、従って、その下げ札を付けた商品の真贋は分からない。仮に、下げ札を付けた商品の真贋を販売に先立ち予め確かめると、下げ札が破れてしまっているので、新しい下げ札を商品に付け直さなければならないという欠点がある。
【０００８】
本考案は、上述したような従来技術に付随する欠点を解消して、偽造を企てている者には偽造防止策が施されていることが分からず、真似し難く、一方、偽造防止下げ札の製造者にとっては小ロットの場合にも簡単に適用でき、ブランド品の偽造防止も簡単に適用できる偽造防止下げ札を提供することを目的とする。
【課題を解決するための手段】
【０００９】
本考案においては、隠し目印を付けた偽造防止下げ札において、１つの切れ部分の長さが０．１〜０．３ｍｍの範囲内にあり、該切れ部分の間に形成されるつなぎ部分の長さが０．８〜１．５ｍｍの範囲内にあるマイクロミシン目状点線で前記隠し目印を付けたことを特徴とする偽造防止下げ札により、前述した目的を達成する。
【００１０】
より好ましくは、本考案により、隠し目印を付けた偽造防止下げ札において、１つの切れ部分の長さが０．１〜０．３ｍｍの範囲内にあり、該切れ部分の間に形成されるつなぎ部分の長さが０．８〜１．５ｍｍの範囲内にあるマイクロミシン目状点線で前記隠し目印を付けており、該隠し目印の切れ部分が前記下げ札の表側から裏側に向けて形成されて裏側から０．１〜０．２ｍｍの範囲内の厚さを残していることを特徴とする偽造防止下げ札が提供される。
【００１１】
前記下げ札に切り離し用ミシン目が設けられ、該切り離し用ミシン目の近傍に前記隠し目印が形成されていることが好ましい。また、前記隠し目印が、文字または図形で形成されていることが好ましい。
【考案の効果】
【００１２】
本考案によれば、１つの切れ部分の長さが０．１〜０．３ｍｍの範囲内にあり、該切れ部分の間に形成されるつなぎ部分の長さが０．８〜１．５ｍｍの範囲内にあるマイクロミシン目状点線で偽造防止下げ札に隠し目印を付けたので、一見しただけでは、下げ札に偽造防止策が施されていることが分からないので、真似され難い。
【００１３】
なお、通常のマイクロミシンは紙などを部分的に切り離すために使用されており、通常のマイクロミシン目は一見して分かる。これに対して、本考案のマイクロミシン目状点線においては、０．１〜０．３ｍｍと短い切れ部分の間に形成されるつなぎ部分が、０．８〜１．５ｍｍと、通常のマイクロミシンより長く、切れ部分の間隔が開いているので、一見しただけではその存在が分からない。
【００１４】
なお、本考案のマイクロミシン目状点線においては、切れ部分の形成は、刃物で行ってもよく、または、レーザーで行ってもよい。また、本考案の切れ部分は、０．１〜０．３ｍｍの範囲内の大きさであれば、円形、矩形、楕円形その他の適宜な形状とすることができる。
【００１５】
本考案の隠し目印は、一見しただけでは分からないが、下げ札に対する光の当て方を変えたり、透光器で透かして下げ札を見ることにより、簡単に下げ札に設けられた隠し目印を確認できる。特に、隠し目印の設けられている場所（例えば、下げ札の切り離し用ミシン目の近傍など）、隠し目印に用いられている文字または図形を確認者が知っていると、隠し目印を一層簡単に確認できる。
【００１６】
更に、本考案においては、光の当て方を変えたり、透光器で透かして下げ札を見ることにより、簡単に下げ札に設けられた隠し目印を確認できるので、確認者は下げ札を破壊する（千切る）ことなく、下げ札の偽造の有無（すなわち、下げ札を付けた商品の真贋）を確認できる。
【００１７】
このように、本考案の偽造防止下げ札は、破壊することなく確認できるので、商品の販売前に、売場でも簡単に確認でき、贋物商品を誤って売ってしまったり、仕入れたりすることが防止できる。
【００１８】
また、本考案の下げ札はマイクロミシン目状点線で隠し目印を付ければよく、小ロットの場合にも簡単に隠し目印を設けることができる。また、商品やブランド名などに対応して、本考案の下げ札の隠し目印を簡単に変えることができ、特にブランド品の偽造防止を簡単に行える。
【００１９】
更に、通常、下げ札の表面を意匠面としてロゴマークを印刷し、裏面に材料、価格などの情報を販売店または下げ札の供給元がプリンターで印刷する。この場合に、本考案の偽造防止下げ札において、隠し目印の切れ部分が、下げ札の表側から裏側に向けて形成されて裏側から０．１〜０．２ｍｍの範囲内の厚さを残していることにより、隠し目印の切れ部分によって印字が途切れて見難くなることを防止できる。このように一定の厚さを残した切れ部分４ａを形成することにより、光を十分に透過させつつ印字性も確保することができる。
【考案を実施するための最良の形態】
【００２０】
以下、本考案の実施例を図示した添付図面に基き、本考案を詳細に説明する。図１は、本考案に係る偽造防止下げ札の一実施例の平面図であり、図中、隠し目印４を二点鎖線で示している。
【００２１】
本考案の偽造防止下げ札１の材質は通常の下げ札の材質と同様であり、特に限定されないが、紙製、合成樹脂製などとできる。本考案の偽造防止下げ札１は、通常の下げ札と同様に、適宜な形状をしており、本実施例では、偽造防止下げ札１の材質は紙であり、その厚さＴ（図４参照）は約０．３４ｍｍであり、形状は長方形形状としている。
【００２２】
下げ札１の一端部（図１においては上端部）の近傍に小孔１ａが形成され、小孔１ａに下げ札１を商品に取り付けるための下げ紐２が通されている。
【００２３】
下げ札１の小孔１ａの下方位置には説明文印刷欄１ｃが形成され、説明文印刷欄１ｃに商品のブランド名または商品の品質などの説明書きが印刷されている。
【００２４】
下げ札１の他端部（図１においては下端部）には商品の価格印刷欄１ｂが形成され、価格印刷欄１ｂに商品の価格が印刷されている。
【００２５】
下げ札１の説明文印刷欄１ｃと価格印刷欄１ｂとの間には、平行な２本の切り離し用ミシン目３、３が下げ札１の幅方向を横切り、下げ札１の表側から裏側まで貫通している。切り離し用ミシン目３、３は通常の切り取りミシン目であり、１つの切れ部分の長さが１〜２ｍｍ、該切れ部分の間に形成されるつなぎ部分の長さが１ｍｍ程度である。
【００２６】
厚さＴ（図４）が約０．３４ｍｍの下げ札１の平行な２本の切り離し用ミシン目３、３の近傍の位置（本実施例では切り離し用ミシン目３、３の間の位置）に、隠し目印４が設けられている。隠し目印４は、図１において、二点鎖線で示されており、好ましくは文字または図形で形成されている。なお、図１の実施例では、横向きアルファベット文字Ｓと斜めの数字１が設けられている。
【００２７】
隠し目印４は、図２に拡大図を示すように、切れ部分４ａと切れ部分４ａの間に形成されるつなぎ部分４ｂからなっている。隠し目印４は、１つの切れ部分４ａの長さＬ１（図３、図４）が０．１〜０．３ｍｍの範囲内にあり、切れ部分４ａの間のつなぎ部分４ｂの長さＬ２（図３、図４）が０．８〜１．５ｍｍの範囲内にあるマイクロミシン目状点線となっている。隠し目印４の切れ部分４ａは、図４に示すように、下げ札１の表側から裏側に向けて約０．１６〜０．１８ｍｍの深さで形成されており、図４に示すように、裏側から０．１〜０．２ｍｍの厚さＴ１が残されていることが好ましい。
【００２８】
なお、本考案の隠し目印４のマイクロミシン目状点線においては、切れ部分４ａの形成は、刃物で行ってもよく、またレーザーで行ってもよい。なお、刃物の場合は、つなぎ部分が通常のマイクロミシン目よりも長いので、通常のマイクロミシン刃では刃を１〜４個ずつ欠いたものを使用する。
【００２９】
本考案の切れ部分４ａは、長さＬ１が０．１〜０．３ｍｍの範囲内の大きさであれば、図３（ａ）に示すように円形、図３（ｂ）に示すように矩形、または、楕円形その他の適宜な形状とすることができる。
【００３０】
本考案によれば、特殊なマイクロミシン目状点線で偽造防止下げ札１に隠し目印４を付けたので、一見しただけでは、下げ札１に偽造防止策が施されていることが分からず、真似され難い。
【００３１】
本考案の隠し目印４は、一見しただけでは分からないが、下げ札１の表面への光の当て方を変えたり、透光器用いて下げ札１を透かして見ることにより、簡単に隠し目印４を確認できる。特に、隠し目印４の設けられている場所（例えば、下げ札１の切り離し用ミシン目３の近傍など）、隠し目印４に用いられている文字または図形を確認者が知っていると、一層簡単に隠し目印４を確認できる。
【００３２】
また、本考案の下げ札１はマイクロミシン目状点線で隠し目印を付ければよく、小ロットの場合にも簡単に適用できる。また、商品に対応して、簡単に下げ札の隠し目印４を変えることができ、特にブランド品の偽造防止を簡単に行える。
【００３３】
更に、本考案においては、隠し目印４の切れ部分４ａを透光器などで判別し易い。これにより下げ札１を破壊する（千切る）ことなく、下げ札１の偽造の有無（すなわち、下げ札１を付けた商品の真贋）を簡単に確認できる。特に、破壊することなく確認できるので、商品の販売前に、売場でも簡単に確認でき、贋物を誤って売ってしまったり、仕入れたりすることが防止できる。
【００３４】
また、本考案の隠し目印４の切れ部分４ａが、裏側まで貫通しないで、裏側から０．１〜０．２ｍｍの範囲内の厚さＴ１が残されていることにより、下げ札の表面を意匠面としてロゴマークを印刷し、裏面に材料、価格などの情報を販売店または下げ札の供給元がプリンターで印刷する場合に、印字が途切れて見難くなることを防止できる。しかも、このように一定の厚さを残した切れ部分４ａを形成することにより、光を十分に透過させつつ印字性も確保することができる。
【図面の簡単な説明】
【００３５】
【図１】本考案に係る偽造防止下げ札の一実施例の平面図であり、図中、隠し目印を二点鎖線で示している。
【図２】図１に示した隠し目印の拡大図である。
【図３】本考案の隠し目印の切れ部分の形状を示す拡大平面図であり、（ａ）では円形形状、図３（ｂ）では矩形形状である。
【図４】本考案の隠し目印の切れ部分の断面形状を示す拡大断面図である。
【符号の説明】
【００３６】
１  下げ札
１ａ  小孔
１ｂ  価格印刷欄
１ｃ  説明文印刷欄
２  下げ紐
３  切り離し用ミシン目
４  隠し目印
４ａ  切れ部分
４ｂ  つなぎ部分
Ｌ１  切れ部分の長さ
Ｌ２  つなぎ部分の長さ
Ｔ  下げ札の厚さ
Ｔ１  切れ部分におけるつなぎ部分の厚さ
【図１】
0003141834.tif 000003
【図２】
0003141834.tif 000004
【図３】
0003141834.tif 000005
【図４】
0003141834.tif 000006